(57)【要約】【課題】高層建築物での部分的に大きく奥まった構造部や入り組んだ構造部などの建設工事において、昇降式作業足場だけでは建築物壁面に作業用足場を密着できないような高所で危険な工事現場で、安全でかつ簡易であり経済効率も格段に向上させることのできる張り出し作業足場を提供すること。【解決手段】本発明に係るスライド式多段張り出し作業足場は、テレスコピックパイプ構造を有する複数段の重畳した延伸収縮可能な張り出し足場を有し、ラック・アンド・ピニオン機構などの駆動機構を用いて昇降式作業足場装置から任意に延伸することのできる安全な多段のスライド式張り出し足場を提供する。【選択図】図１
2015055063.tif 000002
【特許請求の範囲】
【請求項１】
作業足場装置の一方向若しくは多方向に連接して敷設されるメインデッキプレートと、
前記メインデッキプレートの上部又は下部に敷設され、前記メインデッキプレートの幅方向における前方向及び／若しくは後方向にスライド移動して伸縮できる第一のスライドデッキプレートと、
さらに前記第一のスライドデッキプレートの上部又は下部に敷設され、前記第一のスライドデッキプレートの前方向、又は左方向及び／若しくは右方向にスライド移動して伸縮できる第二のスライドデッキプレートと
を具備し、
さらに前記第二のスライドデッキプレートの上部又は下部に複数段重畳して敷設され、前記第二のスライドデッキプレートの前方向、又は左方向及び／若しくは右方向にスライド移動して伸縮できる複数段のスライドデッキプレートの敷設を可能としたこと
を特徴とするスライド式多段張り出し足場を有する作業用足場装置。
【請求項２】
前記複数のスライドデッキプレートを任意の位置までスライド移動して伸縮できるように駆動するスライド駆動装置と、
前記駆動装置に電力を供給する電力供給部と、
前記駆動装置を制御する制御部と
をさらに具備したことを特徴とする請求項１に記載の作業用足場装置。
【請求項３】
前記複数段のスライドデッキプレートのスライド移動機構が、ラック・アンド・ピニオン機構又はネジ軸・アンド・ウォームギヤ機構若しくは滑車・アンド・ワイヤー機構を用いたスライド繰り出し／引き込み制御であることを特徴とした請求項１若しくは２に記載の作業用足場装置。
【請求項４】
昇降式作業足場装置の一方向若しくは多方向に連接して敷設される基本単位足場デッキと、
前記基本単位足場デッキのメインデッキプレートの上部又は下部に敷設され、前記基本単位足場デッキからスライド移動して伸縮できる第一のスライドデッキプレートと、
前記第一のスライドデッキプレートの上部又は下部に敷設され、前記第一のスライドデッキプレートの前方向、又は左方向及び／若しくは右方向にスライド移動して伸縮できる第二のスライドデッキプレートと、
前記第二のスライドデッキプレートの上部又は下部に複数段重畳して敷設され、テレスコピックパイプ構造を有していることにより、前記第二のスライドデッキプレートの前方向、又は左方向及び／若しくは右方向にスライド移動して伸縮できる複数段のスライドデッキプレートと
を具備したことを特徴とするスライド式多段張り出し足場を有する昇降式作業足場装置。
【請求項５】
前記複数のスライドデッキプレートを任意の位置までスライド移動して伸縮できるように駆動するスライド駆動装置と、
前記駆動装置に電力を供給する電力供給部と、
前記駆動装置を制御する制御部と
をさらに具備したことを特徴とする請求項４に記載の昇降式作業足場装置。
【請求項６】
前記複数段のスライドデッキプレートのスライド移動機構が、ラック・アンド・ピニオン機構又はネジ軸・アンド・ウォームギヤ機構若しくは滑車・アンド・ワイヤー機構を用いたスライド繰り出し／引き込み制御であることを特徴とした請求項４若しくは５に記載の昇降式作業足場装置。
【発明の詳細な説明】
【技術分野】
【０００１】
本発明は、高層建築物の建設作業における作業足場又は昇降式作業足場装置に係り、特に、作業足場床とビル等の高層建築物の壁面との間隙を調整するためのスライド式多段張り出し足場を備えた作業用足場装置に関する。
【背景技術】
【０００２】
大型構造物の建設やビルメンテナンス等の高所作業を行う作業用足場装置の中には、地上のベースフレームに取り付けられたマスト支柱を昇降する昇降駆動部と、この昇降駆動部に連結された作業デッキとを有する昇降式作業用足場装置等がある。
【０００３】
作業デッキとは、マスト支柱に対して昇降自在に取り付けられているユニットである。好適にはマスト支柱の縦軸材に挿着された柱部とこれに接続された作業足場床（以降、作業足場床を「デッキプレート」と称する。）を支えるフロア下構造と、所望の場所までの位置移動を可能にする駆動装置と、所望位置で固定し降下を防止するストッパ機構とを備えている。作業デッキのフロア下構造の上に敷設されたデッキプレートは、建設工事作業者の作業足場として機能し、工事用の資材や機材もデッキプレート上に確保される。駆動装置は、作業デッキを昇降させる原動力となる機能を有する装置等であり、電動式、空圧式モーター等の自動回転駆動装置等を用いて実現される。
【０００４】
昇降式作業足場装置では、昇降駆動部に連結された作業デッキが建設構造物躯体壁面に沿って昇降するため、作業デッキ及び作業デッキに敷設されたデッキプレートは、何れも構造物躯体壁面からは離れて所定の間隙を有している（特許文献１）。これは作業デッキの昇降移動の際、建築構造物躯体壁面への接触による破損等の事故を防ぐためである。
【０００５】
昇降式作業足場装置では、上述のようにデッキプレートとビル壁面等との間に間隙が生じていることから工事資材等の落下及び作業者の墜落を防止するために、デッキプレートからスライドして延伸する張り出し足場などを用いて隙間をできるだけ無くし安全に作業が行われている。昇降式作業足場装置のデッキプレートの上部又は下部からスライドして張り出す二次的作業足場を以降「スライド式張り出し足場」と称する。
【０００６】
近年の建築構造デザインの多様化に伴い、建築構造物の形状は複雑になり、高層部において入り組んだ構造を有していたり部分的に奥まっていたり、あるいは突出した構造を有していたりする建築構造物が多く、これら高所での危険な建設作業やメンテナンス作業には、上記のような昇降式作業足場装置のスライド式張り出し足場が頻繁に用いられている。
【０００７】
昇降式作業足場装置のスライド式張り出し足場の中には、操作盤で自動制御されてデッキプレートから自動でスライド延伸させて形成されるものや、手動でスライド延伸させて形成されるものなどがある。またスライド式張り出し足場には、デッキプレート全体の長さと同じ長さで全体が同時にデッキプレートから幅方向にスライドして張り出し足場を形成するタイプのものもある。このタイプの場合は、高所建設工事現場においてデッキプレート全体の幅が拡大して建築物躯体壁面に密着できる効果がある。
【０００８】
またスライド式張り出し足場には、デッキプレートの一定間隔部分（後述する「基本単位作業デッキ」に相当する。）のみから幅方向にスライドして、デッキプレートの一部分のみに張り出し足場を形成することができるタイプのものなどがある。このタイプの場合は、高所建築工事現場において部分的に奥まった構造部や入り組んだ構造部のみの壁面に作業用足場を密着できる効果がある。
【０００９】
昇降式作業足場装置のデッキプレート（メインデッキプレート）は、大型構造物の建設になるほど広くかつ長いデッキプレートが必要となる。このような昇降式作業足場装置の全体のデッキプレートを以降「メインデッキプレート」と称する。この場合、メインデッキプレートは、複数の基本単位作業デッキが連結結合されて必要な長さに構成されている。つまりメインデッキプレートは、基本単位の長さの作業デッキ上部のデッキプレートの連結によって形成されており、以降「基本単位作業デッキ」と称する。
【００１０】
これらの基本単位作業デッキにはスライド式張り出し足場が敷設内包されているものがあり、この場合、基本単位作業デッキのデッキプレートから必要に応じて任意にスライド式張り出し足場をスライド延伸させて張り出し足場を形成し、入り組んだ建築物構造部に密着して工事作業を行うことができる。基本単位作業デッキのスライド式張り出し足場は、自動または手動によって基本単位作業デッキのプレートの上部又は下部からスライド延伸されて構成され、基本単位作業デッキのデッキプレートと連結した二次的な作業足場床（デッキプレート）となる（特許文献１参照）。
【先行技術文献】
【特許文献】
【００１１】
【特許文献１】特許第４７９６１９５号公報
【特許文献２】特開平７−１５８２５４号公報
【発明の概要】
【発明が解決しようとする課題】
【００１２】
上述のようにスライド式張り出し作業足場は、高層建築物の高所工事現場における部分的に奥まった構造部や入り組んだ構造部の壁面に、作業用足場を張り出すことにより密着して作業することができる効果がある。しかし、スライド式張り出し足場は、メインデッキプレートの下部又は上部に内包して重畳敷設されたものであるため、スライド式張り出し足場がスライドして張り出される長さは、メインデッキプレートの幅寸法を越えて張り出すことができない。
【００１３】
スライド式張り出し足場は、基本単位作業デッキに敷設内包されたものである場合も、スライド式張り出し足場の張り出される長さは、基本単位作業デッキの幅寸法つまりデッキプレートの幅寸法と略同等の長さになるのが限界である。
【００１４】
このため近年の複雑にデザインされた高層建築物での部分的に大きく奥まった構造部や入り組んだ構造部に対しては、スライド式張り出し足場のみでは建築物壁面に届かず、作業用足場を密着できない場合が頻繁に発生していた。これまでの昇降式作業足場装置における技術若しくは技術的思想では、このようにスライド式張り出し足場だけでは密着できない入り組んだ高層建築物壁面の工事に対しては簡易に対応する術がない。このような場合は、別個の組み立て作業足場を高層壁面近傍に予め仮設して作業を行う必要があり、作業者の墜落や部材・機材の落下などの事故の危険も大きく、またそのための工期の遅延や費用の発生など大きな問題があった。
【００１５】
また、特許文献２では、昇降式作業足場装置の長さ方向に対してスライドして張り出すテレスコピックパイプ構造の足場床延長についての技術思想が開示されている。テレスコピックパイプ構造については後述する。しかし、特許文献２では、建築物壁面方向へ向かった昇降式作業足場装置の幅方向に対する足場床の延長については一切記載がなく、問題の提起にも至っていない。
【００１６】
本発明はこうした従来技術上の問題点を解決することを企図したものであり、昇降式作業足場から大きく離れた高所建築物壁面での工事作業足場を簡易に提供し、作業の安全性及び作業性を格段に向上させつつ、経済効率も格段に向上させることの可能な作業足場を提供することをその課題とする。
【課題を解決するための手段】
【００１７】
上述のごとく、本発明は、高層建築物での部分的に大きく奥まった構造部や入り組んだ構造部に対して簡易に安全な作業足場を敷設するために、従来の作業足場装置から任意に延伸し、作業を要する構造物躯体壁面に近接することのできるスライド式多段張り出し足場に係る技術的思想を提供する。
【００１８】
即ち、かかる課題を解決するため本発明の第１の実施態様に係るスライド式多段張り出し足場は、作業足場装置の一方向若しくは多方向に連接して構成されるメインデッキプレートと、そのメインデッキプレートの上部または下部に内包して敷設され、前記メインデッキプレートの幅方向に対する前方向及び／若しくは後方向にスライド延伸移動できる第一スライドデッキプレートと、さらにその第一スライドデッキプレートの上部または下部にさらに内包して敷設され、前方向に、又は右方向及び／若しくは左方向にスライド延伸移動できる第二スライドデッキプレートとを具備し構成される。
【００１９】
本発明の第２の実施態様に係るスライド式多段張り出し足場は、作業足場装置のメインデッキプレートからスライドして延伸するスライド式足場の第一スライドデッキプレートから、さらにスライドして延伸することができる第二スライドデッキプレートを有する第二スライド式足場を具備した作業足場装置として実現される。第一スライドデッキプレートだけでは接近できなかった高層建築物の大きく奥まった構造部や入組んだ構造部壁面に、第二スライドデッキプレートをスライド延伸させることによって密接することができるため、簡易で安全な張り出し作業足場を提供できる。
【００２０】
本発明の第３の実施態様に係るスライド式多段張り出し足場の第一スライドデッキプレートは、作業足場装置の幅方向における前方向にスライドして張り出してもよいし、後方向にスライドして張り出してもよい。仮に本記載においては構造物壁面に向かう方向を前方向とし、逆方向を後方行と定義して説明する。同様に第二スライドデッキプレートは、第一スライドデッキプレートの前方向にスライドして張り出してもよいし、左方向又は右方向にスライドして張り出してもよい。左方向又は右方向とは、メインデッキプレートの長さ方向を指す。よって、入り組んだ建築物の細部にまで近接することができる作業足場を提供することができる。
【００２１】
本発明の第４の実施態様に係るスライド式多段張り出し足場は、例えば高層建築物の建設に用いられる昇降式作業足場のメインデッキプレートに敷設することによって、高層建築物の高所における大きく奥まった構造部や入組んだ構造部に別個の組み立て足場を予め構築することを要せずに密接できる安全で簡易な作業足場を提供することができる。
【００２２】
本発明の第５の実施態様に係るスライド式多段張り出し足場は、昇降式作業足場のメインデッキプレートのどの位置に敷設されていてもよく、または後述する基本単位作業デッキのすべてに敷設されていてもよい。よって、昇降式作業足場において安全に作業できる空間スペースが格段に増加することになり、より大型の昇降式作業足場を建設工事のため利用したことと同様の効果を得ることができる。建設費用等の大幅な節減ができる。
【００２３】
さらに本発明の第６の実施態様に係るスライド式多段張り出し足場は、スライドして張り出された第二スライドデッキプレートから、その第二スライドデッキプレートの上部または下部に敷設され、前方向に、又は右方向及び／若しくは左方向にスライド移動し張り出すことのできる第三スライドデッキプレートとを具備して構成される。またこのように本発明に係るスライド式多段張り出し足場は、第一、第二、第三というようにスライドデッキプレートが複数段重畳してメインデッキプレートの上部又は下部に内包して敷設されたことを特徴とする作業用足場である。
【００２４】
複雑にデザインされた高層建築物での部分的に大きく奥まった構造部や大きく入り組んだ構造部に対しても、多段を有するスライド式張り出し足場のスライドデッキプレートが複数段スライドして張り出すことにより近接して作業足場を設定することができるようになる。  
【００２５】
本発明の第７の実施態様に係るスライド式多段張り出し足場は、当該スライドデッキプレートを任意の位置までスライドして繰り出し又は引き込みできるように駆動するスライド駆動装置と、その駆動装置に電力を供給する電力供給部と、当該駆動装置を制御する制御部とを具備して構成される。電力供給部及び／若しくは制御部はメインデッキプレートに敷設されていてもよいし、遠隔操作が可能なシステムであってもよい。ただし、本発明は電力制御に限定せず、手動による駆動を除外するものではない。
【００２６】
本発明の第８の実施態様に係るスライド式多段張り出し足場は、メインデッキプレートを連結して構成する基本単位作業デッキごとに敷設され、基本単位作業デッキのメインデッキプレートから第一スライドデッキプレート、第二スライドデッキプレートそして第三スライドデッキプレート等複数の重畳されるスライドデッキプレートの順にテレスコピックパイプ構造に類似した繰り出し構造を有し、各々のスライドデッキプレートがスライドして延伸又は収縮できる構造であることを特徴とする。
【００２７】
本発明の第９の実施態様に係るスライド式多段張り出し足場は、スライドデッキプレートを任意の位置までスライドして繰り出し又は引き込むことができるように駆動するスライド駆動装置においてスライド移動機構が、滑車・アンド・ワイヤー機構又はラック・アンド・ピニオン機構又はネジ軸・アンド・ウォームギヤ機構を用いた繰り出し又は引き込み制御であることを特徴とする。スライド移動機構に、滑車・アンド・ワイヤー機構又はラック・アンド・ピニオン機構又はネジ軸・アンド・ウォームギヤ機構を用いることで、スライドデッキプレートを電動でスムーズにスライドして延伸させることができ又同様にスライドして引き込むことができる。
【００２８】
ただし上記のスライド式移動機構は、滑車・アンド・ワイヤー機構又はラック・アンド・ピニオン機構又はネジ軸・アンド・ウォームギヤ機構に限定するものではなく、その他の公知技術を用いた駆動機構であってもよい。滑車・アンド・ワイヤー機構又はラック・アンド・ピニオン機構又はネジ軸・アンド・ウォームギヤ機構については、発明を実施するための形態において詳細を説明する。
【発明の効果】
【００２９】
本発明に係るスライド式多段張り出し足場によれば、複雑にデザインされた高層建築物での部分的に大きく奥まった構造部や入り組んだ構造部で、昇降式作業足場装置の従来の第一段のみのスライド式張り出し足場では建築物壁面に作業用足場を密着できない離れた構造部壁面に、簡易に安全な作業足場を提供することができる。よって、作業者の墜落や部材・機材の落下などの事故の危険も大きく減ずることができる。
【００３０】
また、危険な高所工事現場での別個の組み立て作業足場を予め仮設する必要もなくなるため、工期の遅延や余分な工事費用の発生を抑制することができる。よって、高層建築物の建設工事やメンテナンス工事の際、安全性及び作業性を格段に向上させつつ、経済効率も格段に向上させることが可能となる。
【図面の簡単な説明】
【００３１】
【図１】本発明の一実施形態に係る昇降式作業足場装置の作業デッキ全体のイメージを示した斜視概念図である。
【図２】本発明の一実施形態に係るスライド式多段張り出し足場のスライド駆動部分の構造がラック・アンド・ピニオン機構である場合の延伸時の概念を示した断面図である。
【図３】本発明の一実施形態に係るスライド式多段張り出し足場のスライド駆動部分の構造がネジ軸・アンド・ウォームギヤ機構である場合の延伸時の概念を示した断面図である。
【図４】本発明の一実施形態に係るスライド式多段張り出し足場のスライド駆動部分の構造が滑車・アンド・ワイヤー機構である場合の延伸時の概念を示した断面図である。
【発明を実施するための形態】
【００３２】
以下、図面を参照して本発明を実施するための形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００３３】
図１は、本発明の一実施形態に係る昇降式作業足場装置１の作業デッキ２の全体イメージを示した斜視概念図である。２本のマスト支柱２０によって昇降が可能になった昇降式作業足場装置１の作業デッキ２は基本単位作業デッキ３が連結接合されて構成されている。メインデッキプレート４も基本単位作業デッキ３の上部デッキプレートが連結結合して構成されている。
【００３４】
それぞれの基本単位作業デッキ３のデッキプレートの下部には、スライド式張り出し足場５が敷設内蔵されている。スライド式張り出し足場５は、第一段スライド式張り出し足場６、第二段スライド式張り出し足場７、第三段スライド式張り出し足場８が敷設内蔵されている。
【００３５】
図１に示された本発明の一実施形態に係る昇降式作業足場装置１の作業デッキ２を連結して構成する個々の基本単位作業デッキ３は、スライド式多段張り出し足場５を敷設している。そして、スライド式多段張り出し足場５は、３層のスライド式張り出し足場を内包している。ただし内包するスライド式張り出し足場の数は３層に限定するものではない。
【００３６】
スライド式多段張り出し足場５は、メインデッキプレート４の前方向に第一段スライド式張り出し足場６が延伸して張り出され、その前面側からはさらに第二段スライド式張り出し足場７が延伸して張り出される。そして、第三段スライド式張り出し足場８がさらに前方に向かってスライド延伸して張り出される。それぞれのスライド式張り出し足場は、スライド延伸して張り出すと同様に、スライド収縮してもとの位置に戻すことができ、その動作は自動であっても手動であってもよく、その延伸収縮のための駆動機構の構造例は後述する。
【００３７】
第二段スライド式張り出し足場７は、図１においては前方向（即ち、紙面奥から手前に向う方向）にスライド延伸して張り出されているが、第一段スライド式張り出し足場６の左右サイド方向のいずれかにスライド延伸して張り出すことができるような構造にしてもよい。同様に第三段スライド式張り出し足場８も、第二段スライド式張り出し足場７の左右サイド方向のいずれかにスライド延伸して張り出すことができるような構造にしてもよいことは言うまでもない。
【００３８】
図１における第三段スライド式張り出し足場９は、第二段スライド式張り出し足場７の仮に右サイド方向にスライド延伸して張り出した場合を概念的に破線で囲って示している。また、第一段スライド式張り出し足場６も図１における後方向にスライド延伸させる構造を有していてもよく、作業デッキ２を構成する各々の基本単位作業デッキ３は、上記と同様なスライド式多段張り出し足場５の構造を敷設包含していてもよい。本願は、スライド式張り出し足場５の張り出し方向を限定するものではない。
【００３９】
本発明の一実施形態に係るスライド式多段張り出し足場５は、予め基本単位作業デッキ３に敷設内包されている。スライド式多段張り出し足場５を構成する第一段、第二段、第三段各々のスライド式張り出し足場の構造は、それらのスライド式張り出し足場が敷設されている基本単位作業デッキ３の構造を含めて、延伸・収縮可能なテレスコピックパイプ構造を有しており、各々のスライド式張り出し足場の延伸できる最大長さまで各々一軸に延伸することができる。スライド式張り出し足場５のスライドして張り出す詳細な構造においては、スライド軸レール又はサイドレールがあってもよく、また、上下板の挟み込みの中間板構造の延伸であってもよく、これらは基本的にテレスコピックパイプ機構の概念の範囲内であり、詳細を本発明において限定するものではない。
【００４０】
テレスコピックパイプ機構とは、中空の相似形の円柱を、大きさの順で内側に内蔵させ、大きい円柱の内側に「かえし」の縁を設け、小さい円柱の外側にかえしの縁を設け、接合したもので伸び縮みできるものをいう。望遠鏡や釣竿やラジオアンテナや警棒や消防梯子車の梯子などで利用されている構造である。円柱以外でも多角柱でも可能な構造である。伸縮構造は入れ子構造であればよい。本発明におけるスライド式多段張り出し足場５の場合は、消防梯子車の梯子の構造に近似していると言える。
【００４１】
次に本発明のスライド式多段張り出し足場に係る一実施例での、スライド式張り出し足場の張り出し駆動機構の例について説明する。張り出し足場の張り出し駆動機構については、ラック・アンド・ピニオン機構、ネジ軸・アンド・ウォームギヤ機構、滑車・アンド・ワイヤー機構の３種類を例示的に以下に記述する。
【００４２】
（ラック・アンド・ピニオン機構１０について）
図２は、本発明の一実施形態に係るスライド式多段張り出し足場５のスライド駆動部分の構造がラック・アンド・ピニオン機構である場合の延伸時の概念を示した断面図である。
【００４３】
図２は、本発明の一実施形態に係るスライド式多段張り出し足場が、メインデッキプレート４を最大構造とし、第一段スライド式張り出し足場６、第二段スライド式張り出し足場７、第三段スライド式張り出し足場８に従って外型を小さくして伸縮可能なテレスコピックパイプ構造を有することを示した断面概念図で、上記第一、第二、第三のスライド式張り出し足場がスライド延伸した状態を概念的に示している。
【００４４】
最先端部になる第三段スライド式張り出し足場８が、第二段スライド式張り出し足場７からスライド延伸されて構成され、第二段スライド式張り出し足場７は第一段スライド式張り出し足場６からスライド延伸されて構成される。同様に第一段スライド式張り出し足場６はメインデキプレート４からスライド延伸される構造となっている。
【００４５】
各段のスライド式張り出し足場は、足場床となるスライドデッキプレート２４と電動機２２を固定するフレーム２３と張り出し駆動機構とで構成されている。
【００４６】
図２はスライド式張り出し足場を繰り出す機構の一実施形態を示したものであり、ピニオンギヤ２１を付加した電動機２２を各スライド式張り出し足場のフレーム２３に固定し、各スライド式張り出し足場のスライドデッキプレート２４に固定されたラックギヤ２５とピニオンギヤ２１とを噛合させ、電動機２２をＣＣＷ回転（図２の場合、反時計回り回転）させることにより各スライド式張り出し足場を図２のごとくスライドして繰り出すことができる。この状態で電動機２２をＣＷ回転（図２の場合、時計回り回転）させれば各スライド式張り出し足場をスライドして引き込むことができる。
【００４７】
例えば、ピニオンギヤ２１を付加した電動機２２を第一段スライド式張り出し足場６のフレーム２３に固定し、第二段スライド式張り出し足場７のスライドデッキプレート２４に固定されたラックギヤ２５とピニオンギヤ２１とを噛合させ、電動機２２をＣＣＷ回転させることにより第二段スライド式張り出し足場７を図２のごとく繰り出すことができる。同じく、ピニオンギヤ２１を付加した電動機２２を第二段スライド式張り出し足場７のフレーム２３に固定し、第三段スライド式張り出し足場８のスライドデッキプレート２４に固定されたラックギヤ２５とピニオンギヤ２１とを噛合させ、電動機２２をＣＣＷ回転させることにより第三段スライド式張り出し足場８を繰り出すことができる。
【００４８】
図１において、第三段スライド式張り出し足場９が左右サイド方向にスライドして張り出された場合を破線で囲い例示している。各スライド式張り出し足場が前後方向にスライド延伸・収縮するか、左右サイド方向にスライドして延伸・収縮するかは、単に内蔵されたラック・アンド・ピニオン機構の歯車の方向と伸縮するテレスコピックパイプ構造の方向で決められる。両方の方向へのスライド伸縮を可能にするラック・アンド・ピニオン機構を内蔵すれば前後左右どちらにもスライド式張り出し足場を伸縮させることができる。
【００４９】
スライド駆動装置部とはメインデッキプレート４の下部又は上部に設置された各段のスライド式張り出し足場をメインデッキプレート４の前方にスライドして繰り出すための装置をいい、具体的には、たとえば正逆回転可能な電動機２２及びピニオンギヤ２１の回転や、後述するねじ状の駆動軸の回転や、滑車３１の回転等とを操作制御部によって制御することにより、各段のスライド式張り出し足場を繰り出し／引き込みをすることができるものを採用すればよい。
【００５０】
電動機２２などの駆動機構は、メインデッキプレート４内及び各スライド式張り出し足場に敷設内蔵されているが、操作制御部は例えば作業デッキ２の上に設置されて、各段のスライド式張り出し足場の伸縮を一括制御できる。
【００５１】
操作制御部としてスライド駆動部に流す電流のＯＮ／ＯＦＦ動作や繰り出し／引き込み動作を切り替えるための電流方向の切替や機能を実現するための装置等を別途備えてもよく、遠隔操作形式としてもよい。また、手動によってピニオンギヤ２１等の駆動機構を回転させるようにしてもよい。
【００５２】
たとえば、スライド式多段張り出し足場５を対象壁面等に位置決めするときは、スライド式張り出し足場を予め引き込んでおき、作業デッキ２の垂直位置が決定したところでスライド式張り出し足場を順次繰り出し、壁面と作業足場との間隙が無くなる位置で固定する。図１に示すような３段式のスライド式張り出し足場の場合などにおいては、スライド延伸して繰り出す足場の段の順番を限定する必要はなく任意に決定できる。
【００５３】
（ネジ軸・アンド・ウォームギヤ機構１１について）
図３は、本発明の別の一実施形態に係るスライド式多段張り出し足場のスライド駆動部分の構造がネジ軸・アンド・ウォームギヤ機構１１である場合の延伸時の概念を示した断面図である。延伸して張り出されるスライド式張り出し足場のスライドデッキプレート２４Ａの下部にはネジ軸受け２６が接合されており、張り出す側のフレーム２３Ａには、ネジ状軸２７、ウォームギヤ２８及びネジ駆動用の電動機２２Ａが敷設されている。
【００５４】
図３は、スライド式張り出し足場を繰り出す一実施形態を例示したものであり、ウォームギヤ２８を有するネジ状軸２７を付加した電動機２２Ａを各スライド式張り出し足場のフレーム２３に固定し、各スライド式張り出し足場のスライドデッキプレート２４Ａに固定されたネジ軸受け２６と結合させ、電動機２２Ａを回転させることにより各スライド式張り出し足場を繰り出すことができる。この状態で電動機２２Ａを逆回転させれば各スライド式張り出し足場を引き込むことができる。
【００５５】
図３においては、メインデッキプレート４から第一段スライド式張り出し足場のみがネジ軸・アンド・ウォームギヤ機構でスライド延伸して張り出される駆動機構の概念を示しているが、スライド式多段張り出し足場における各段のスライド式張り出し足場がスライド延伸して張り出される機構も各々同様のネジ軸・アンド・ウォームギヤ機構であることはいうまでもない。
【００５６】
（滑車・アンド・ワイヤー機構１２について）
図４は、本発明の更に別の一実施形態に係るスライド式多段張り出し足場のスライド駆動部分の構造が滑車・アンド・ワイヤー機構１２である場合の延伸時の概念を示した断面図である。延伸して張り出されるスライド式張り出し足場のスライドデッキプレート２４Ｂにはワイヤー３０が接合されており、張り出す側のフレーム２３Ｂには、ワイヤー３０で連接された滑車３１及びワイヤー駆動用の電動機２２Ｂが敷設されている。
【００５７】
図４は、スライド式張り出し足場を繰り出す一実施形態を例示したものであり、ワイヤー３０を介してスライド式張り出し足場のスライドデッキプレート２４Ｂと滑車３１と電動機２２Ｂとが連接しているため、電動機２２Ｂを回転させることによりワイヤー３０が移動し、スライド式張り出し足場を繰り出すことができる。この状態で電動機２２Ｂを逆回転させればスライド式張り出し足場を引き込むことができる。
【００５８】
図４においては、メインデッキプレート４から第一段スライド式張り出し足場のみが滑車・アンド・ワイヤー機構でスライド延伸して張り出される駆動機構の概念を示しているが、スライド式多段張り出し足場における各段のスライド式張り出し足場がスライド延伸して張り出される機構も各々同様の滑車・アンド・ワイヤー機構１２であることはいうまでもない。
【００５９】
図２、図３及び図４に示したラック・アンド・ピニオン機構１０、ネジ軸・アンド・ウォームギヤ機構１１及び滑車・アンド・ワイヤー機構１２においては、電動機によってギヤ及び滑車を回転させる例を示したが、電動機の代りにドリルドライバーあるいは手動によって回転させるようにしてもよい。
【００６０】
本発明に係るスライド式多段張り出し足場は、張り出し足場がスライド延伸された際、先端部において予想される荷重によるたわみを防止するため、3点支持のための支持支柱などの補強構造を底部フレーム２３（又は２３Ａ、２３Ｂ）に予め敷設させることを除外するものではない。また同様に、スライド式多段張り出し足場がスライド延伸された際、先端部において予想される荷重によるたわみを予め想定して、スライド式多段張り出し足場の張り出されるデッキプレート２４（又は２４Ａ、２４Ｂ）の張り出す角度を水平から若干の必要角度だけ上方に補正設定することを除外するものではなく、これらの技術は公知技術の範囲で対応できるものである。
【００６１】
なお、本発明は上述した実施形態に限定されるものではなく、本発明の主旨を逸脱しない範囲内で種々変更して実施することが可能である。これらはすべて、本技術思想の一部である。
【産業上の利用可能性】
【００６２】
上述したように、本発明に係るスライド式多段張り出し足場によれば、複雑にデザインされた高層建築物での部分的に大きく奥まった構造部や入り組んだ構造壁面部に、昇降式作業足場装置から簡易に安全な作業足場を提供することができる。よって、作業者の墜落や部材・機材の落下などの事故の危険を大きく減ずることができる。
【００６３】
また同様に、工期の遅延や余分な工事費用の発生を大幅に抑制することができる。よって、高層建築物の建設工事やメンテナンス工事の際、安全性及び作業性を格段に向上させつつ、経済効率も格段に向上させることが可能となる。したがって、本発明は、建設業及びその関連産業において大きな有益性をもたらすものであり、産業上の利用可能性は極めて大きい。
【符号の説明】
【００６４】
１    昇降式作業足場装置
２    作業デッキ
３    基本単位作業デッキ
４    メインデッキプレート
５    スライド式多段張り出し足場
６    第一段スライド式張り出し足場
７    第二段スライド式張り出し足場
８    第三段スライド式張り出し足場
９    横方向への第三段スライド式張り出し足場
１０  ラック・アンド・ピニオン機構
１１  ネジ軸・アンド・ウォームギヤ機構
１２  滑車・アンド・ワイヤー機構
２０  マスト支柱
２１  ピニオンギヤ
２２、２２Ａ、２２Ｂ  電動機
２３、２３Ａ、２３Ｂ  フレーム
２４、２４Ａ、２４Ｂ  スライドデッキプレート
２５  ラックギヤ
２６  ネジ軸受け
２７  ネジ状軸
２８  ウォームギヤ
２９  軸受け
３０  ワイヤー
３１  滑車
【図１】
2015055063.tif 000003
【図２】
2015055063.tif 000004
【図３】
2015055063.tif 000005
【図４】
2015055063.tif 000006